(57)【要約】【課題】周辺機器およびアプリケーションに対するフレキシビリティおよびサポートを高めること。【解決手段】モジュラー式の処理ユニットであって、周辺機器のコンピュータ構成要素を含まずに構成された第１の収納体と、第１バスシステムを含み、前記第１の収納体に結合された第１の回路基板に結合された第１プロセッサと、前記第１の収納体に結合されており、周辺機器およびアプリケーションへ適応可能な種々の接続を提供する第１の背面とを備えた。【選択図】図２
2010160805.tif 000002
【特許請求の範囲】
【請求項１】
周辺機器のコンピュータ構成要素を含まずに構成された第１の収納体と、
第１バスシステムを含み、前記第１の収納体に結合された第１の回路基板に結合された第１プロセッサと、
前記第１の収納体に結合されており、周辺機器およびアプリケーションへ適応可能な種々の接続を提供する第１の背面とを備えた、モジュラー式の処理ユニット。
【請求項２】
前記第１の背面が１つ以上のデータ操作システムを含み、前記第１の背面が第１の回路基板に結合されている、請求項１記載のモジュラー式の処理ユニット。
【請求項３】
前記第１の回路基板が複数のセグメントを含み、前記複数のセグメントが相互に接続されている、請求項２記載のモジュラー式の処理ユニット。
【請求項４】
前記複数のセグメントが層状の回路基板構造で相互に接続されている、請求項３記載のモジュラー式の処理ユニット。
【請求項５】
前記第１の収納体の外部の１つ以上の周辺機器が前記第１のバスシステムに選択的に接続されている、請求項１記載のモジュラー式の処理ユニット。
【請求項６】
前記第１の収納体の外部の１つ以上の周辺機器が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、請求項５記載のモジュラー式の処理ユニット。
【請求項７】
前記第２のモジュラー式の処理ユニットが、
周辺機器のコンピュータ構成要素を含まずに構成された第２の収納体と、
前記第２の収納体に結合され、第２バスシステムを含む第２の回路基板に結合された第２のプロセッサと、
前記第２の収納体に結合され、周辺機器およびアプリケーションへ適応可能な種々の接続を提供する第２の背面とを備えた、請求項６記載のモジュラー式の処理ユニット。
【請求項８】
前記第１のバスシステムと前記第２のバスシステムとが直接結合され、前記モジュラー式の処理ユニットを有するコンピュータデバイスを提供する単一バスシステムを形成する、請求項７記載のモジュラー式の処理ユニット。
【請求項９】
前記モジュラー式の処理ユニットの組み合わせによって、前記コンピュータデバイスに対し、増大した処理パワーを提供できる、請求項８記載のモジュラー式の処理ユニット。
【請求項１０】
前記第１のバスシステムに結合されており、前記第１の収納体内に設けられたメモリを更に含む、請求項１記載のモジュラー式の処理ユニット。
【請求項１１】
前記モジュラー式の処理ユニットが、任意のタイプの電気システムに関連して使用される処理プラットフォームを提供する、請求項１記載のモジュラー式の処理ユニット。
【請求項１２】
前記第１の背面が１つ以上のデータ操作システムを含み、前記１つ以上のデータ操作システムの変更によりモジュラー式の処理ユニットのアプリケーションを変更する、請求項１記載のモジュラー式の処理ユニット。
【請求項１３】
前記モジュラー式の処理ユニット内の作動温度を下げるための冷却システムを更に備えた、請求項１記載のモジュラー式の処理ユニット。
【請求項１４】
モジュラー式の処理ユニットを１つ以上の他のモジュラー式の処理ユニットに選択的に結合して、すべてのモジュラー式の処理ユニットが前記システムバスレベルで相互に結合されたコンピュータデバイスを提供することにより、種々のコンピュータ処理を提供するようになっている、請求項１記載のモジュラー式の処理ユニット。
【請求項１５】
前記第１の背面が別の背面と選択的に交換可能であり、前記第１の背面のロジックが別の背面と異なる、請求項１記載のモジュラー式の処理ユニット。
【請求項１６】
（ｉ）中央処理ユニットおよび（ｉｉ）消費者用電子デバイスのうちの一つで前記モジュラー式の処理ユニットが使用される、請求項１記載のモジュラー式の処理ユニット。
【請求項１７】
前記モジュラー式の処理ユニットがハンドヘルドコンピュータデバイスである、請求項１記載のモジュラー式の処理ユニット。
【請求項１８】
前記ハンドヘルドコンピュータデバイスが（ｉ）周辺入力デバイスおよび（ｉｉ）周辺出力デバイスのうちの少なくとも一つに選択的に結合されている、請求項１７記載のモジュラー式の処理ユニット。
【請求項１９】
前記周辺入力デバイスおよび前記周辺出力デバイスが処理パワーを含まず、前記モジュラー式の処理ユニットと組み合わされた前記周辺入力デバイスおよび前記周辺出力デバイスがラップトップコンピュータデバイスを形成する、請求項１８記載のモジュラー式の処理ユニット。
【請求項２０】
前記モジュラー式の処理ユニットが消費者用スマート電子デバイスとして使用されている、請求項１記載のモジュラー式の処理ユニット。
【請求項２１】
コンピュータデバイスの処理パワーを増大させるための方法において、
第１のバスシステムを有する第１のモジュラー式処理ユニットを設けるステップと、
第２のバスシステムを有する第２のモジュラー式処理ユニットを設けるステップとを備え、前記第１のモジュラー式処理ユニットおよび前記第２のモジュラー式処理ユニットの各々が、
周辺機器のコンピュータ構成要素を含まずに構成された収納体を備え、この収納体が、  前記収納体の一部を構成する第１の本体シャーシと、
前記第１の本体シャーシの開口を塞ぎ、前記収納体の内部へのアクセスを行うための、前記第１の本体シャーシに取り外し自在に結合された１つ以上のプレートと、
前記収納体に取り外し自在に結合された１つ以上の処理部品と、
前記処理部品によって発生された熱放出を前記収納体から周辺の空気へ放散させるための手段とを備え、
更に前記第１のモジュラー式処理ユニットを前記第２のモジュラー式処理ユニットに結合し、増大された処理パワーを発生するステップを備えた、コンピュータデバイスの処理パワーを増大させるための方法。
【請求項２２】
前記モジュラー式の処理ユニットを有するコンピュータデバイスのための単一バスシステムを形成するように、前記第１のバスシステムと前記第２のバスシステムとが直接結合されている、請求項２１記載の方法。
【請求項２３】
前記第１のモジュラー式処理ユニットおよび前記第２のモジュラー式処理ユニットを他のモジュラー式処理ユニットに結合し、スーパーコンピュータを提供するステップを更に備えた、請求項２１記載の方法。
【請求項２４】
前記第１のモジュラー式処理ユニットを前記第２のモジュラー式処理ユニットに結合し、増大された処理パワーを発生する前記ステップが、前記モジュラー式処理ユニットをクラスター状の相互に機能し、かつ相互に通信する関係に結合することを含む、請求項２１記載の方法。
【請求項２５】
第１のタイプの処理に対し、前記第１のモジュラー式処理ユニットの少なくとも一部の処理パワーを専用とすると共に、第２のタイプの処理を実行するために前記第２のモジュラー式処理ユニットの少なくとも一部の処理パワーを専用とするステップを更に含む、請求項２１記載の方法。
【請求項２６】
周辺機器のコンピュータ構成要素を含まずに構成された第１の収納体であって、この第１の収納体に取り外し自在に結合された、第１のエンドプレートおよび第２のエンドプレートと、第１、第２および第３の側壁サポートを有し、複数の換気ポートを備えた、前記非周辺機器に基づく第１の収納体と、
第１のバスシステムを含む第１の回路基板に結合された第１のプロセッサとを備え、前記第１の回路基板が前記第１の収納体に結合され、前記第１の回路基板が前記第１の収納体内に取り外し自在に固定された３基板の電気プリント回路基板構造となっており、
更に前記第１の収納体に結合された第１の相互交換可能な背面とを備え、該第１の背面が周辺機器およびアプリケーションへ適応可能な種々の接続を提供するモジュラー式処理システム。
【請求項２７】
前記第１の収納体の外部の１つ以上の周辺機器が前記第一の背面を介して前記第１のバスシステムに選択的に接続され、コンピュータデバイスを形成している、請求項２６記載のモジュラー式処理システム。
【請求項２８】
前記第１の収納体の外部の１つ以上の周辺機器が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、請求項２７記載のモジュラー式処理システム。
【請求項２９】
前記第２のモジュラー式の処理ユニットが、
周辺機器のコンピュータ構成要素を含まずに構成された第２の収納体と、
前記第２の収納体に結合され、第２バスシステムを含む第２の回路基板に結合された第２のプロセッサと、
前記第２の収納体に結合され、周辺機器およびアプリケーションへ適応可能な種々の接続を提供する第２の背面とを備えた、請求項２８記載のモジュラー式処理システム。
【請求項３０】
前記第１のバスシステムと前記第２のバスシステムとが直接結合され、前記モジュラー式の処理ユニットを有するコンピュータデバイスのための単一バスシステムを形成する、請求項２９記載のモジュラー式処理システム。
【発明の詳細な説明】
【技術分野】
【０００１】
本発明は、ダイナミックにモジュラー式の処理ユニットを提供するためのシステムおよび方法に関する。特に本発明は、エンタプライズ内で選択的に単独または同様な処理ユニットと共に使用されるようになっているモジュラー式処理ユニットに関する。一部の実現例では、各モジュラー式処理ユニットは非周辺機器に基づく収納体、冷却プロセス（例えば熱力学的対流冷却、強制空気冷却および／または液体冷却）、最適にされた回路基板構造、最適にされた処理およびメモリ比、および周辺機器およびアプリケーションに対するフレキシビリティおよびサポートを高めるダイナミックな背面を含む。
【背景技術】
【０００２】
コンピュータに関連した技術に関し、何年間にもわたって技術的な進歩がなされている。例えば、コンピュータシステムはかつて真空管を使用していたが、これら真空管はトランジスタにとって代わられた。過去にはメモリのために磁気コアが使用されていたが、その後一般にパンチカードおよび磁気テープが使用され、その後、集積回路およびオペレーティングシステムが導入された。今日ではコンピュータシステム内で現在マイクロプロセッサチップが使用されている。
【０００３】
コンピュータに関連する技術革新はコンピュータ業界における種々の形態のファクタの開発を含んでいる。かかる標準的な形態のファクタの１つは、高度技術（ＡＴ）と称されており、この技術は従来のシステムよりもかなり高速で進歩し、新しいキーボード、８０２８６プロセッサ、従来のシステムよりも大きい容量（１.２ＭＢ）を有するフロッピー（登録商標）ディスク、および１６ビットデータバスを含んでいた。
【０００４】
その後、マザーボードの配置の変化を含むＡＴ形態のファクターに関して改良がなされ、これら改良によってドライブベイのより近くにディスクドライブコネクタを設け、更に電源およびクーリングファンのより近くに中央処理ユニットを設けることによって、マザーボードをより効率的に設計することが可能となった。中央処理ユニットを新しい位置に設けたことによって、拡張スロットがフルレングスの追加カードをすべてホールドできるようになった。
【発明の概要】
【発明が解決しようとする課題】
【０００５】
このような開発によって処理能力が高まったが、コンピュータ技術が進歩するにつれ、部品をアップグレードする能力はかろうじて効果的となっているにすぎない。実際に技術は、コンピュータ技術の産みの機構のようには、驚くほど望ましくないものとなっている。作動の耐久性、製造、出荷およびサポートの点で、予測可能な障害パターンがあることが識別されている。システムは熱を発生するので、内部冷却システムが必要であうが、この冷却システムはノイズが大きい。更に現在のコンピュータシステムでは修理が必要となることが多い。
【０００６】
従って、処理データを使用するようになっているコンピュータ技術が現在存在するが、課題も存在する。従って、現在の技術を補強し、または現在の技術を他の技術に置き換えるために、技術の改良が必要である。
【課題を解決するための手段】
【０００７】
本発明はダイナミックにモジュラー式の処理ユニットを提供するためのシステムおよび方法に関する。軽量で、コンパクトで、エンタプライズ内で選択的に単独で使用されたり、または同様な処理ユニットと共に使用されるようになっているモジュラー式処理ユニットに関連して、本発明が実施される。一部の実現例では各モジュラー式処理ユニットは非周辺機器に基づく収納体、冷却プロセス（例えば熱力学的対流冷却、強制空気冷却および／または液体冷却）、最適にされた回路基板構造、最適にされた処理およびメモリ比、および周辺機器およびアプリケーションに対するフレキシビリティおよびサポートを高めるダイナミックな背面を含む。
【０００８】
一実現例では、ダイナミックにモジュラー式の処理ユニットは高度冷却プロセス（例えば冷却ファン、強制空気冷却プロセスおよび／または液体冷却プロセスを不要にできる熱力学的冷却モデル）を利用するキューブプラットフォーム（例えば３・１／２インチ（８.９ｃｍ）のキューブ状（立方体）プラットフォームまたは別のサイズおよび／または構造）となっている。このユニットは層状のマザーボード構造および最適にされた処理およびメモリ比も含む。このユニットのバスアーキテクチャは性能を高め、ハードウェアおよびソフトウェアの双方の安定性を高める。高度にフレキシブルな背面が周辺機器および垂直アプリケーションに対するサポートを提供する。本発明の別の実現例は、３・１／２インチのキューブプラットフォームより大きいか、または小さい、耐久性のあるダイナミックにモジュラー式の処理ユニットの使用を強化するものである。同様に、他の実現例はキューブ以外の形状の使用を強化する。
【０００９】
本発明の実現例はすべてのタイプのコンピュータエンタプライズに関連して使用できるプラットフォームを提供できる。このプラットフォームは、ダイナミックにモジュラー式のユニットに対する影響を最小としながら多数の変形を配慮したものであるので、すべてのタイプのアプリケーションにわたるプラットフォームの有効性を高めることができる。
【００１０】
本発明の方法およびプロセスはパーソナル計算エンタプライズの分野で特に有効であることが証明されているが、当業者であれば、本発明の方法およびプロセスは種々のアプリケーションおよび制御システムまたはスマートインターフェースシステムを利用する業界のエンタプライズおよび／またはかかるデバイスの実施から利点を得るエンタプライズを含むカスタム化可能なエンタプライズを行うための種々の異なる製造分野で使用できる。かかる業界の例として自動車業界、高級業界、油圧制御業界、オート−ビデオ制御業界、通信業界、医療業界、特殊用途業界および消費者用電子デバイス業界を挙げることができるが、これらだけに限定されるものではない。従って、本発明のシステムおよび方法は現在のコンピュータ技術によってこれまで開発されていなかったマーケットを含むマーケットに巨大な計算能力を提供できる。
【００１１】
次の説明には本発明の上記およびそれ以外の特徴および利点が記載されており、これらについてより完全に明らかとなろう。これら特徴および利点は本明細書に記載の機器および組み合わせによって得ることができる。更に本発明を実施することによって、本発明の特徴および利点が理解できるか、または以下に説明する記載から明らかとなろう。
【００１２】
本発明の上記およびそれ以外の特徴および利点が得られる態様を説明するために添付図面に示した本発明の特定の実施例を参照することによって、本発明をより詳細に説明する。図面は本発明の代表的な実施例だけしか示していないので、発明の範囲を限定するものと見なしてはならないと理解できよう。添付図面を使用しながら本発明について更に詳細に説明することにする。
【図面の簡単な説明】
【００１３】
【図１】本発明にかかわる代表的な計算エンタプライズを提供するよう、周辺機器に接続された代表的なモジュラー式処理ユニットを示すブロック図である。
【図２】耐久性があり、ダイナミックなモジュラー式の処理ユニットの代表的な実施例を示す。
【図３】非周辺機器に基づく収納体、冷却プロセス（すなわち熱力学的対流冷却プロセス、強制空気冷却プロセスおよび／または液体冷却プロセス）、最適にされた層状プリント回路基板構造、最適にされた処理およびメモリ比、および周辺機器およびアプリケーションに対するフレキシビリティおよびサポートを高めるダイナミックな背面を有する、図２の実施例の別の図である。
【図４】非周辺機器に基づく収納体を有する、ダイナミックにモジュラー式の処理ユニットがパーソナル計算エンタプライズ内で単独で使用されている代表的なエンタプライズを示す。
【図５】非周辺機器に基づく収納体を有する、ダイナミックにモジュラー式の処理ユニットが別のパーソナル計算エンタプライズ内で使用されている代表的なエンタプライズを示す。
【図６】増設周辺機器、例えば取りはズシン可能なドライブまたは他のモジュラー式周辺機器を含む、図５類似する別の代表的なエンタプライズを示す。
【図７】ダイナミックにモジュラー式の処理ユニットが電子エンタプライズ内で使用されている別の代表的なエンタプライズを示す。
【図８】ダイナミックにモジュラー式の処理ユニットがハンドヘルドエンタプライズ内で使用されている別の代表的なエンタプライズを示す。
【図９】別の代表的なエンタプライズにおける図８の実施例の利用を示す。
【図１０】外部フリップアップＩ／Ｏ周辺機器と組み合わされた非周辺機器に基づく収納体を有する別の代表的なハンドヘルドエンタプライズを示す。
【図１１】図１０の実施例の別の図を示す。
【図１２】ダイナミックにモジュラー式の処理ユニットが代表的な消費者用電気デバイスで使用されている代表的なエンタプライズを示す。
【図１３】ダイナミックにモジュラー式の処理ユニットが代表的な電気デバイスで使用されている、別の代表的なエンタプライズを示す。
【図１４】１つ以上のダイナミックにモジュラー式の処理ユニットが別の電気デバイスで使用されている、代表的なエンタプライズを示す。
【図１５】１つ以上のダイナミックにモジュラー式の処理ユニットが別の代表的なデバイスで使用されている、代表的なエンタプライズを示す。
【図１６】各々が非周辺機器に基づく収納体を有する多数のダイナミックにモジュラー式の処理ユニットが、処理能力を大きくするように計算エンタプライズ内で配置され、使用されている代表的なエンタプライズを示す。
【発明を実施するための形態】
【００１４】
本発明はダイナミックにモジュラー式の処理ユニットを提供するためのシステムおよび方法に関する。軽量で、コンパクトで、エンタプライズ内で選択的に単独で使用されたり、または同様な処理ユニットと共に使用されるようになっているモジュラー式処理ユニットに関連して、本発明を実施する。一部の実現例では各モジュラー式処理ユニットは非周辺機器に基づく収納体、冷却プロセス（例えば熱力学的対流冷却、強制空気冷却および／または液体冷却）、最適にされた回路基板構造、最適にされた処理およびメモリ比、および周辺機器およびアプリケーションに対するフレキシビリティおよびサポートを高めるダイナミックな背面を含む。
【００１５】
本発明の実施例はすべてのタイプのコンピュータおよび／または電気エンタプライズに関連して使用できるプラットフォームを含む。このプラットフォームにより、ダイナミックなモジュラー式ユニットに対する影響を最小としながら多数の変形例を可能にし、よってすべてのアプリケーションにわたるプラットフォームの有効性を高めることができる。更に上記のように、このモジュラー式処理ユニットは、単独でも機能できるし、または処理能力を強化するためにカスタム化可能なエンタプライズ内で１つ以上の他のモジュラー処理ユニットに関連させることができる。
【００１６】
図１およびそれに対応する説明は、本発明の一実施例に係わる適当な作動環境を一般的に説明するためのものである。以下に更に説明するように、本発明の実施例は後述するようにネットワークされた構造または組み合わせ構造を含む種々のカスタム化可能なエンタプライズ構造での１つ以上のダイナミックにモジュラー式の処理ユニットを使用することを含む。
【００１７】
本発明の実施例は、１つ以上のコンピュータで読み取り可能なメディアを含み、この場合、各メディアはデータおよびデータを操作するためのコンピュータで実行可能な命令を含むようになっている。コンピュータで実行可能な命令はデータ構造、オブジェクト、プログラム、ルーチンまたは種々の異なる機能を実行できる汎用モジュラー処理ユニットに関連したプロセッサまたは限られた数の機能を実行できる特殊用途のモジュラー処理ユニットに関連したプロセッサなどの１つ以上のプロセッサによってアクセスできるその他のプログラムモジュールを含む。
【００１８】
コンピュータで読み取り可能な命令により、エンタプライズのうちの１つ以上のプロセッサは特定の機能または機能のグループを実行させられ、これら命令は処理方法のためのステップを実現するためのプログラムコード手段の例となっている。更に、特定のシーケンスの実行可能な命令は、かかるステップを実行するのに使用できる対応する行為の一例を提供する。
【００１９】
コンピュータで読み取り可能なメディアの例として、ランダムアクセスメモリ（ＲＡＭ）、リードオンリーメモリ（ＲＯＭ）、プログラマブルリードオンリーメモリ（ＰＲＯＭ）、消去可能なプログラマブルリードオンリーメモリ（ＥＰＲＯＭ）、電気的に消去可能なプログラマブルリードオンリーメモリ（ＰＥＰＲＯＭ）、コンパクトディスクリードオンリーメモリ（ＣＤ−ＲＯＭ）、任意の固体記憶デバイス（例えばフラッシュメモリ、スマートメディアなど）、または処理ユニットがアクセスできるデータまたは実行可能な命令を提供できる他の任意のデバイスまたは部品を挙げることができる。
【００２０】
図１を参照すると、代表的なエンタプライズはモジュラー式処理ユニット１０を含み、この処理ユニットは汎用処理ユニットまたは特殊用途処理ユニットとして使用できる。例えばモジュラー式処理ユニット１０はパソコン、ノートブックコンピュータ、パーソナルデジタルアシスタント（ＰＤＡ）またはその他のハンドヘルドデバイス、ワークステーション、ミニコンピュータ、メインフレーム、スーパーコンピュータ、マルチプロセッサシステム、ネットワークコンピュータ、プロセッサに基づく消費者用装置、スマート装置またはデバイス、制御システムまたは同等品として単独または１つ以上の同様なモジュラー式処理ユニットと共に使用できる。同一エンタプライズ内で多数の処理ユニットを使用することによって、おおきな処理能力を提供できる。例えばエンタプライズのうちの各処理ユニットは特定のタスク専用とすることもできるし、また組み合わせて分散処理にも参加できる。
【００２１】
図１では、モジュラー式処理ユニット１０は１つ以上のバスおよび／または相互接続部１２を含み、これらは処理ユニットの種々の部品を接続するように構成でき、更に２つ以上の部品の間でのデータ交換を可能にする。バス／相互接続部１２はメモリバス、周辺バスまたは種々のバスアーキテクチャのいずれかを使用するローカルバスを含む種々のバス構造体の１つを含むことができる。バス／相互接続部１２によって接続される代表的な部品は、１つ以上のプロセッサ１４および１つ以上のメモリ１６を含む。ロジック、１つ以上のシステム、１つ以上のサブシステムおよび／または１つ以上のＩ／Ｏインターフェース（以下、データ操作システム１８と称す）を使用することにより、バス／相互接続部１２に他の部品を選択的に接続できる。更にロジック、１つ以上のシステム、１つ以上のサブシステムおよび／または１つ以上のＩ／Ｏインターフェース使用することにより、バス／相互接続部１２に外部から他の部品を接続することもでき、および／または他の部品はロジック、１つ以上のシステム、１つ以上のサブシステムおよび／または１つ以上のＩ／Ｏインターフェース、例えばモジューラ式処理ユニット３０および／または所有権のある、オープンでないデバイス３４として機能できる。Ｉ／Ｏインターフェースの例として１つ以上の大量記憶デバイスインターフェース、１つ以上の入力インターフェース、１つ以上の出力インターフェースなどを挙げることができる。従って、本発明の実施例は使用する１つ以上のＩ／Ｏインターフェースを使用する能力および／またはロジックまたは他のデータ操作システムに基づき、製品の利用可能性を変更できる能力を含む。
【００２２】
ロジックはインターフェース、システム、サブシステムの一部に結合することもできるし、および／または特定のタスクを実行するようにも使用できる。従って、ロジックまたはその他のデータ操作システムは、例えばロジックまたは他のデータ操作システムがＩ／ＯインターフェースとなっているＩＥＥＥ１３９４（ファイアワイヤー）を可能にできる。これとは異なり、またはこれに追加して、モジュラー式処理ユニットを別の外部システムまたはサブシステム内に結合できるようにするロジックまたは別のデータ操作システムを使用することもできる。例えば外部システムまたはサブシステムは特別なＩ／Ｏ接続部を含んでもよいし、含まなくてもよい。これとは異なり、またはそれに加えて、ロジックに外部Ｉ／Ｏが関連しないロジックまたはその他のデータ操作システムを使用してもよい。本発明の実施例は特殊用ロジック、例えば車両用ＥＣＵ、油圧制御システムなどのためのロジックおよび／またはハードウェアの特定の部分をどのように制御するかについてプロセッサに伝えるロジックを使用することも含む。更に当業者であれば、本発明の実施例はロジック、システム、サブシステムおよび／またはＩ／Ｏインターフェースを利用する多数の異なるシステムおよび／またはコンフィギュレーションを含む。
【００２３】
徐煕のように、本発明の実施例は１つ以上のＩ／Ｏインターフェースを使用できる能力および／または使用するロジックまたは他のデータ操作システムに基づき、製品の利用可能性を変更できる能力を含む。例えばモジュラー式処理ユニットが１つ以上のＩ／Ｏインターフェースおよびデスクトップコンピュータとして使用できるようになっているロジックを含むパーソナル計算システムの一部である場合、２つの標準ＲＣＡを介してアナログのオーディオを取り込み、アナログオーディオをＩＰアドレスに一斉送信したい音楽ステーションのためのオーディオ符号化を実行するためのフラッシュメモリまたはロジックを含むように、ロジックまたはその他のデータ操作システムを変更してもよい。従って、モジュラー式処理ユニットは、モジュラー式処理ユニットの背面にてデータ操作システム（例えばロジック、システム、サブシステム、Ｉ／Ｏインターフェースなど）に対して行った変更に起因し、コンピュータシステムではなく装置として使用されるシステムの一部とすることができる。従って、背面におけるデータ操作システムの変更はモジュラー式処理ユニットのアプリケーションを変えることができる。従って、本発明の実施例は、極めて適応性のあるモジュラー式処理ユニットを含む。
【００２４】
上記のように、処理ユニット１０は１１つ以上のプロセッサ１４、例えば中央プロセッサおよびオプションとしての特定の機能またはタスクを実行するようになっている１つ以上の別のプロセッサを含む。コンピュータで読み取り可能なメディア、例えばメモリ１６、磁気ハードディスク、取り外し自在磁気ディスク、磁気カセット、光ディスクに設けられた命令、またはコンピュータで読み取り可能な媒体としても見なすことができる通信接続部からの命令を実行するのは、一般にプロセッサ１４である。
【００２５】
メモリ１６はデータまたはデータを操作するための命令を含むようになっているか、これらを含むことができる１つ以上のコンピュータで読み取り可能な媒体を含む。メモリ１６は例えば情報を永久的に記憶するのに使用されるＲＯＭ２０および／または情報を一時的に記憶するＲＡＭ２２を含むことができる。ＲＯＭ２０は例えばモジュラー式処理ユニット１０の始動中の通信の設定をするのに使用される１つ以上のルーティンを有する基本入出力システム（ＢＩＯＳ）を含むことができる。作動中にＲＡＭ２２は１つ以上のプログラムモジュール、例えば１つ以上のオペレーションシステム、アプリケーションプログラムおよび／またはプログラムデータを含むことができる。
【００２６】
図示するように、本発明の少なくとも一部の実施例は種々の異なるアプリケーションにおいてユニットを使用できるようにする、よりロバストな処理ユニットを提供する非周辺収納体を含む。図１において、（データ操作システム１８として示されている）１つ以上の大量記憶デバイスインターフェースは１つ以上の大量記憶デバイス２４をバス／相互接続部１２に接続するのに使用できる。大量記憶デバイス２４はモジュラー式処理ユニット１０に対する周辺機器であり、モジュラー式処理ユニット１０が大量のデータを保持できるようにする。大量記憶デバイスの例としてハードディスクドライブ、磁気ディスクドライブ、テープドライブおよび光ディスクドライブを挙げることができる。
【００２７】
大量記憶デバイス２４は磁気ハードディスク、取り外し自在な磁気ディスク、磁気カセット、光ディスクまたは別のコンピュータで読み取り可能な媒体との間で読み取りおよび／または書き込みを行うことができる。大量記憶デバイス２４およびそれらの対応するコンピュータで読み取り可能な媒体はオペレーティングシステム、１つ以上のアプリケーションプログラム、その他のプログラムモジュールまたはプログラムデータのような１つ以上のプログラムモジュールを含むことができるデータおよび／または実行可能な命令の不揮発性記憶装置となっている。かかる実行可能な命令は、本明細書に開示した方法のステップを実行するためのプログラムコード手段の例である。
【００２８】
対応する１つ以上の周辺Ｉ／Ｏデバイス２６を介し、モジュラー式処理ユニット１０とデータおよび／または命令を交換できるようにするのに、データ操作システム１８を使用できる。周辺Ｉ／Ｏデバイス２６の例としては、入出力デバイス、例えばキーボードおよび／または別個の入力デバイス、例えばマウス、トラックボール、ライトペン、スタイラスまたは他のポインティングデバイス、マイクロフォン、ジョイスティック、ゲームパッド、衛星ディッシュ、スキャナ、カムコーダ、デジタルカメラ、センサおよび同等品、および／または出力デバイス、例えばモニタまたはディスプレイスクリーン、スピーカー、プリンタ、制御システムおよび同等品を挙げることができる。同様に、周辺Ｉ／Ｏデバイス２６をバス／相互接続部１２に接続するのに使用できる特別ロジックに結合されたデータ操作システム１８の例としては、シリアルポート、パラレルポート、ゲームポート、ユニバーサルシリアルバス（ＵＳＢ）、ファイアワイヤー（ＩＥＥＥ１３９４）、無線受信機、ビデオアダプタ、オーディオアダプタ、パラレルポート、無線送信機、パラレルまたはシリアル化されたＩ／Ｏ周辺機器または別のインターフェースを挙げることができる。
【００２９】
データ操作システム１８は、１つ以上のネットワークインターフェース２８を横断する情報の交換を可能にする。ネットワークインターフェース２８の例としては、処理ユニットとの間で情報の交換を可能にする接続部、ローカルエリアネットワーク（ＬＡＮ）に接続するためのネットワークアダプタ、すなわちモデム、無線リンクまたはワイドエリアネットワーク（ＷＡＮ）、例えばインターネットに接続するための別のアダプタを挙げることができる。ネットワークインターフェース２８はモジュラー式処理ユニット１０に組み込んでもよいし、このユニットの周辺機器でもよいし、ＬＡＮ、無線ネットワーク、ＷＡＮおよび／または処理ユニット間の任意の接続部に関連させてもよい。
【００３０】
データ操作システム１８はモジュラー式処理ユニット１０が１つ以上の他のローカルまたはリモートモジュラー式処理ユニット３０またはコンピュータデバイスと情報を交換できるようにする。モジュラー式処理ユニット１０とモジュラー式処理ユニット３０との間の接続部はハードワイヤー接続されたリンクおよび／または無線リンクを含むことができる。従って、本発明の実施例はダイレクトなバス対バスの接続を含む。これによって大きなバスシステムを創出できる。また、エンタプライズの直接のバス対バス接続により、現在知られているようなハッキングも解消できる。更にデータ操作システム１８はモジュラー式処理ユニット１０が１つ以上の所有権のあるＩ／Ｏ接続３２および／または１つ以上の所有権のあるデバイス３４と情報交換するのを可能にする。
【００３１】
リモートメモリ記憶デバイス内に処理ユニットへアクセスできるプログラムモジュールまたはその一部を記憶させてもよい。更にネットワーク化されたシステムまたは組み合わされた構造では、モジュラー式処理ユニット１０は複数の処理ユニットによって機能またはタスクを実行する分散計算環境に参加できる。これとは異なり、組み合わされた構造／エンタプライズの各処理ユニットを特別タスク専用とすることができる。従って、例えばエンタプライズの１つの処理ユニットをビデオデータ専用とし、従来のビデオカードの代わりとし、かかるタスクを実行するための処理能力を従来の技術よりも大きくすることができる。
【００３２】
当業者であれば本発明の実施例は種々の構造を含むことができることが理解できようが、耐久性があり、ダイナミックにモジュラー式の処理ユニットの代表的実施例を示す図２を参照する。図２に示された実施例では、処理ユニット４０は耐久性があり、ダイナミックにモジュラー式となっている。ここに示された実施例では、ユニット４０は高度熱力学的冷却モデルを利用し、冷却ファンを不要にした３・１／２インチ（８.９ｃｍ）キューブプラットフォームとなっている。
【００３３】
しかしながら、本明細書に説明するように、本発明の実施例は熱力学的冷却プロセス、例えば強制空気冷却プロセスおよび／または液体冷却プロセスに加えて、またはその代わりに別の冷却プロセスを使用することを含む。更に、図示された実施例は３・１／２インチのキューブプラットフォームを含むが、当業者であれば本発明の実施例は３・１／２インチのキューブプラットフォームより大きいか、または小さいモジュラー式処理ユニットを含むことが理解できよう。同様に、他の実施例はキューブ（立方体）以外の形状を使用することも含む。
【００３４】
処理ユニット６０は処理およびメモリ比を最適にする層状のマザーボード構造および性能を高め、ハードウェアとソフトウェアの安定性の双方を高めるバスアーキテクチャも含み、以下、これら特徴の各々について更に説明する。当業者であれば、本発明のその他の実施例は非層状マザーボードも含むことが理解できよう。更に本発明の別の実施例は、埋め込み型マザーボード構造も含む。この埋め込み型構造では、部品の間の絶縁を行い、部品を１つ以上の材料内に埋め込む１つ以上の材料にマザーボードの部品が埋め込まれており、マザーボード部品の１つ以上は、機械式、光学式、電気式または電気機械式となっている。更に埋め込み型マザーボード構造の実施例の少なくとも一部は三次元の無菌環境内に固定された機械式、光学式、電気式および電気機械式部品を含む。かかる材料の例としては、ポリマー、ゴム、エポキシおよび／または任意の非導電性埋め込みコンパウンドを挙げることができる。
【００３５】
本発明の実施例は処理上の汎用性を提供できる。例えば本発明の少なくとも一部の実施例によれば、処理パワーを選択的に専用にし、および／または割り当てることにより、処理の負担を識別し、解決する。例えば処理パワーの専用または割り当てを制御するように特定のニーズに従って特定のシステムを定める。こうして、かかる特定のニーズ（例えばビデオ、オーディオ、１つ以上のシステム、１つ以上のサブシステムなど）に対する処理パワーを提供するのに、１つ以上のモジュラー式処理ユニットを専用とすることができる。一部の実施例では、処理パワーを提供できるようにすることによって、中央ユニットに対する負荷を小さくできる。例えば処理パワーは必要とされるエリアに向けられる。
【００３６】
図示された実施例では、処理ユニット４０は２ＨＧｚのプロセッサと、１.５ＧＢのＲＡＭを含むが、当業者であれば本発明の別の実施例はこれよりも高速または低速のプロセッサおよび／またはこれよりも大きいか、または小さいＲＡＭを使用することを含むことが理解できよう。本発明の少なくとも一部の実施例では、処理ユニットのうちのプロセッサの速度およびＲＡＭの量は、処理ユニットを使用すべき特性に応じて決まる。
【００３７】
高度にダイナミックで、カスタム化可能であり、相互交換可能な背面４４は、周辺機器および垂直アプリケーションに対するサポートを提供する。図示されている実施例では、背面４４は収納体４２に選択的に結合され、ユニット４０をダイナミックにカスタム化できるようにする１つ以上の特徴、インターフェース、能力、ロジックおよび／または部品を含むことができる。図示されている実施例では、背面４４はＤＶＩビデオポート４６、イーサネット（登録商標）ポート４８、ＵＳＢポート５０（５０ａおよび５０ｂ）、ＳＡＴＡバスポート５２（５２ａおよび５２ｂ）、電源ボタン５４および電源ポート５６を含む。背面４４は２つ以上のモジュラー式処理ユニットを電気的に１つに結合し、上記のようなシステム全体の処理能力を高めると共に、後述するようなスケーリングされた処理を提供する機構も含むことができる。
【００３８】
当業者であれば対応する特徴、インターフェース能力、ロジックおよび／または部品を有する背面４４は、単に代表的なものにすぎず、本発明の実施例は種々の異なる特徴、インターフェース、能力および／または部品を有することが理解できよう。従って、１つの背面を別の背面に置換し、ユーザーが処理ユニットのロジック、特徴および／または能力を選択的に変えることができるようにすることにより、処理ユニットはダイナミックにカスタム化可能となっている。
【００３９】
更に本発明の実施例は、種々の異なる環境内で１つ以上のモジュラー式処理ユニット４０を使用できるように任意の数の、および／または任意のタイプのロジックおよび／またはコネクタを含む。例えば環境としては車両（例えば自動車、トラック、オートバイなど、油圧制御システムおよびその他の環境を挙げることができる。背面上のデータ操作システムを変更することにより、後述するように種々の環境に対して垂直方向および／または水平方向にスケーリングすることが可能となる。
【００４０】
更に、本発明の実施例は種々の形状およサイズのモジュラー式処理ユニットを含む。例えば図２では、モジュラー式処理ユニット４０は種々の理由から従来の処理ユニットよりも小型のキューブ状となっている。
【００４１】
当業者であれば理解できるように、本発明の実施例は、例えば使用される材料、ロジックのサイズおよび／または形状、タイプおよび／または周辺機器に基づく収納体を省略したことにより、従来の技術よりもサポートが容易である。
【００４２】
図示された実施例では、電源ボタン５４は３つのステート、すなわちオンステート、オフステートおよび電源ブートのためのスタンバイステートを含む。電源がオンにされ、電源が受信されると、メモリ内にサポートされていたオペレーティングシステムをロードし、ブートするための命令がユニット４０に出される。電源がオフにされると、処理制御ユニット４０は進行中の処理をインターラプトし、シャットダウンシーケンスを開始し、その後、スタンバイステートが続き、このスタンバイステートではシステムはパワーオンステートが起動されるのを待つ。
【００４３】
ＵＳＢポート５０は周辺入出力デバイスを処理ユニット４０に接続するように構成されている。かかる入出力デバイスの例としては、キーボード、マウスまたはトラックボール、モニタ、プリンタ、別の処理ユニットまたはコンピュータデバイス、モデムおよびカメラを挙げることができる。
【００４４】
ＳＡＴＡバスポート５２は処理ユニット４０の周辺機器である大量記憶デバイスを電子的に結合し、サポートするようになっている。かかる大量記憶デバイスの例としては、フロッピー（登録商標）ディスクドライブ、ＣＤ−ＲＯＭドライブ、ハードドライブ、テープドライブなどを挙げることができる。
【００４５】
上記のように、本発明の別のデバイスは、当業者であれば理解できるように、周辺デバイスを接続するための増設ポートおよび手段を使用することを含む。従って、本発明において特別に表示し、説明した、接続のための特定のポートおよび手段は単に説明のためのものであり、発明を限定するものではない。
【００４６】
本明細書に説明するように、非周辺処理ユニットを使用することにより、より大型のパックされた周辺コンピュータユニットよりも種々の利点が得られる。例えばユーザーはエンタプライズを収納するのに必要なスペースを選択的に小さくすることができ、更に全体のスペースを小さくしながら、システムに処理ユニットを増設することにより、処理パワーを大きくすることができる。更に処理ユニットの各々は故障しやすいシステムではなく、固体部品を含むので、（例えば壁内、家具内、クローゼット内、時計のような装飾装置内に）個々のユニットを隠すことができる。
【００４７】
個々の処理ユニット／キューブの耐久性により、従来の技術では考えられなかった場所での処理が可能となっている。例えば処理ユニットを地中に埋めたり、水中に沈めたり、海に沈めたり、地中内に何百メートル（何百フィート）も貫入するドリルビットのヘッドに設置したり、家具内の不安定な表面に設置したりすることが可能となる。潜在力のある処理場所は無限である。その他の利点として、ノイズおよび熱を低減できること、ユーザーに利用できる種々の装置、例えば家具、固定具、車両、構造体、支持体、器具、機器、パーソナルアイテムなどにカスタム化可能なスマート技術を設けることができるということを挙げることができる。
【００４８】
次に図３を参照すると、ここには図２の実施例の別の図が示されている。ここでは非周辺機器に基づく収納体をより完全に示すために、キューブの側壁が省略された処理ユニット４０、冷却プロセス（すなわち熱力学的対流冷却、強制空気冷却および／または液体冷却）、最適にされた層状回路基板構造およびダイナミックな背面を示している。この図示された実施例では、基板の事故による外れを防止し、相互交換性を可能にする強制嵌合技術を使用することによって種々の基板が１つに結合されている。これら基板は強化されたＥＭＩ分布および／またはチップ／ロジックの設置を考慮したものである。当業者であれば、本発明の実施例は任意の数の基板および／または構造を含むことが理解できよう。更に、１つ以上の用途および／または特徴に基づき、特定の利点および／またはニーズのために基板構造を変形してもよい。図３では、処理ユニット４０は２つの平行なサイド基板６２（６２ａおよび６２ｂ）と、このサイド基板６２に対して横方向にあり、かつこれら基板を電子的に結合する中央基板６４とを含む、層状の回路基板／マザーボード構造６０を含む。図示された実施例は３基板構造を提供しているが、当業者であれば本発明の実施例は２枚以下の基板を有する基板構造および４枚以上の基板を有する層状基板構造も有することが理解できよう。更に本発明の実施例は、互いに直角な基板以外の回路基板構造を含む。
【００４９】
図示された実施例では、マザーボード６０を収納体４２に結合するための手段を使って、収納体４２内に層状マザーボード６０がサポートされている。図示されている実施例では、マザーボード６０を収納体４２に結合するための手段は、マザーボード６０の少なくとも一部を選択的に受け、マザーボード６０を所定一部いに保持するようになっている種々のチャンネル状スロットを含む。技術の進歩と共にアップグレードが必要になるにつれ、例えばプロセッサ６０を改良されたプロセッサに置き換えなければならないような場合、収納体４２から対応する基板（例えば中央基板６４）を収納体４２から除き、アップグレードを可能にするように新しいプロセッサを有する新しい基板を挿入する。従って、本発明の実施例は、必要なアップグレードを容易にすると共に、カスタム化可能でダイナミックな処理ユニットを提供できることが証明されている。
【００５０】
処理ユニット４０は１つ以上のタスクを実行するようになっている１つ以上のプロセッサも含む。図３では、１つ以上のプロセッサが中央基板６４に結合されたプロセッサ６６として示されている。技術が進歩するにつれ、処理ユニット４０のユーザーがプロセッサ６６をアップグレードされたプロセッサに置き換えたいようなときが生じ得る。従って、収納体４２から中央基板６４を取り外し、アップグレードされたプロセッサを有する新しい中央基板を設置し、ユニット４０に関連して使用することができる。従って、本発明の実施例は、容易にアップグレードでき、よって従来の技術と対照的な寿命を有するプラットフォームを提供できる、ダイナミックにカスタム化可能な処理ユニットを含む。
【００５１】
次に図４を参照する。ここには非周辺機器に基づく収納体を有するダイナミックにモジュラー式の処理ユニット４０がパーソナル計算エンタプライズ内で単独で使用されている代表的なエンタプライズ７０が示されている。図示された実施例では、処理ユニット４０はパワー接続部７１を含み、エンタプライズ７０の周辺デバイスと共に無線技術を使用している。周辺デバイスとしてはハードディスクドライブ７４、スピーカー７６およびＣＤ−ＲＯＭドライブ７８を有するモニタ７２、キーボード８０およびマウス８２を挙げることができる。当業者であれば、本発明の実施例は無線技術以外の技術を使用するパーソナル計算エンタプライズも含むことが理解できよう。
【００５２】
処理ユニット４０はタスクを実行するためにデータを操作する処理パワーを提供しているので、エンタプライズ７０の駆動力となっている。本発明のダイナミックで、かつカスタム化可能な特徴により、ユーザーは処理パワーを容易に強化できる。本実施例では、処理ユニット４０は３・１／２インチ（８.９ｃｍ）のキューブ（立方体）であって、このキューブは熱力学的な冷却を使用し、処理およびメモリ比を最適にしている。しかしながら、本明細書に説明するように、本発明の実施例は、熱力学的冷却プロセス、例えば強制空気冷却プロセスおよび／または液体冷却プロセスに加えて、またはその代わりに他の冷却プロセスを使用することを含む。更に本発明は、３・１／２インチキューブプラットフォームを含むが、当業者であれば本発明の実施例は３・１／２インチキューブプラットフォームより大きいか、または小さいモジュラー式処理ユニットを使用することを含むことが理解できよう。同様に、その他の実施例は、キューブ以外の形状を使用することを含む。
【００５３】
特に図示された実施例の処理ユニット４０は２ＧＨｚのプロセッサ、１.５ＧのＲＡＭ、５１２のＬ２キャッシュおよび無線ネットワークインターフェースを含む。例えば従来の一部の技術が必要とするように、新しいシステムを購入するのではなく、エンタプライズ７０に対する処理パワーを大きくしたいとエンタプライズ７０のユーザーが判断した場合、ユーザーはエンタプライズ７０に１つ以上のモジュラー式処理ユニットを追加するだけでよい。ユーザーは処理を実行するのに望ましいように、処理ユニット／キューブを選択的に割り当てできる。例えば分散処理を実行するために処理ユニットを使用することができ、特定のタスクを実行するのに各ユニットを割り当てしてもよい（例えば１つのユニットをビデオデータ処理の専用とし、別のユニットを別のタスク専用とする）し、またはモジュラーユニットが１つの処理ユニットとして共に機能してもよい。
【００５４】
本発明は２.５ＧＨｚのプロセッサ、１.５ＧのＲＡＭおよび５１２Ｌ２キャッシュを有する処理ユニットを含むが、当業者であれば本発明の別の実施例はより高速または低速のプロセッサ、より多くの、またはより少ないＲＡＭ、および／または異なるキャッシュを使用することを含むことが理解できよう。本発明の少なくとも一部の実施例では、処理ユニットの能力は処理ユニットを使用する性質に応じて決まる。
【００５５】
図４は、図示されているデスクの頂部におかれた処理ユニット４０を示すが、これとは異なり、処理ユニット／キューブのロバストな性質により、ユニット４０を目につきにくい場所、例えば壁内に設置したり、机の下に取り付けたり、装飾装置または物体内に設けることが可能となっている。従って、図示された実施例は蹴飛ばしやすかったり、タワーの冷却システム内部から音を発生する性質のある従来のタワーを不要にできる。対流冷却または液体冷却を使用する場合、内部のすべての部品は固体であるので、ユニット４０から音が発せられることはない。
【００５６】
次に図５を参照する。ここでは、計算エンタプライズ内でモジュラー式処理ユニットを利用するための別の例が示されている。図５では、負荷支持部材として機能するモジュラー式処理ユニット４０の能力が示されている。例えば２つ以上の構造体を共に架橋し、構造体又はエンタプライズの全体の構造上のサポートおよび安定性に寄与するのに、モジュラー式処理ユニットを使用できる。更に、モジュラー式処理ユニットは基本サポート本体に直接取り付けられた負荷を支持できる。例えばモジュラー式処理ユニットにより、コンピュータスクリーンまたはモニタを物理的に支持し、処理を制御できる。図示された実施例では、モジュラー式処理ユニット４０にはモニタ９０が取り付けられ、この処理ユニットは次にベース９４を有するスタンド９２に取り付けられている。
【００５７】
次に図６を参照すると、ここには非周辺機器に基づく収納体を有するダイナミックにモジュラー式の処理ユニット４０、すなわち計算エンタプライズが使用されている別の代表的なエンタプライズが示されている。図６では、この代表的なエンタプライズは図５に示された実施例に類似するが、このエンタプライズに１つ以上のモジュラー式周辺機器が選択的に結合されている。特に図６は、例えば周辺機器としてエンタプライズに選択的に結合される大量記憶デバイス９３を示している。当業者であれば、任意の数（例えば２つ未満または３つ以上）および／または任意のタイプの周辺機器を使用できることが理解できよう。かかる周辺機器の例として、大量記憶デバイス、Ｉ／Ｏデバイス、ネットワークインターフェース、その他のモジュラー式処理ユニット、所有権のあるＩ／Ｏ接続部、所有権のあるデバイスなどを挙げることができる。
【００５８】
次に図７を参照すると、ここには別の代表的な実施例が示されており、ここではエンタプライズ内で非周辺機器に基づく収納体を有するダイナミックにモジュラー式の処理ユニット４０が使用されている。本発明の少なくとも一部の実施例によれば、中央処理ユニットまたはテレビ、ステレオシステム、記録ユニット、セットトップボックスを含むその他の電子デバイスまたは他の任意の電子デバイス内で非周辺機器に基づく収納体を有するモジュラー式処理ユニットを使用できる。従って、このモジュラー式処理ユニットはモニタ、警告、通知、制御、監督、記録、認識などのために企業内で選択的に使用できる。図７では、モジュラー式処理ユニットは企業で使用するための電源９４、１つ以上の他の周辺機器９５および接続部９６に結合されている。
【００５９】
本明細書に説明するように、本発明の実施例はモジュラー式処理ユニットのための種々の形状およびサイズを含む。次に図８を参照すると、ここにはハンドヘルド計算エンタプライズ、例えばパーソナルデジタルアシスタント（ＰＤＡ）として使用されるモジュラー式処理ユニット４０が示されている。このモジュラー式処理ユニット４０にはＩ／Ｏ周辺機器９７が接続されており、図示されている実施例でぇあ、このＩ／Ｏ周辺機器９７は入出力を可能にするためのモニタおよびスタイラスを含む。当業者であれば、別の周辺機器、例えばスピーカー、マイク、携帯電話、キーボードまたはその他のタイプの周辺機器を含むことができることが理解できよう。かかる代表的な例については後述する。
【００６０】
図８の実施例では、ハンドヘルド計算エンタプライズは８．９ｃｍ×１２．１ｃｍ×１．９ｃｍ（３・１／２インチ×４.７５インチ×０.７５インチ）の寸法を有するが、当業者であれば、本発明は図示された実施例よりも大きいか、または小さい実施例も含むことが理解できよう。図８ではＩ／Ｏ周辺機器９７はモジュラー式処理ユニット４０に選択的に結合される部品上のスライドとなっており、モジュラー式処理ユニット４０はこのユニット４０のよりスリムにすることができる層状でない基板構造を含む。増設周辺機器は電源および大量記憶デバイスを含む。一実施例では、大量記憶デバイスはユーザーが常に自分のファイルのすべてを有することができるようにする４０Ｇのハードドライブである。従って、図８の実施例によってユーザーは自分の手のひらで完全なコンピュータを使用できるようになる。更に、固体部品により図８の実施例は従来の技術よりも耐久性がより高い。更に少なくとも一部の実施例では、ケーシングは耐久性を高めるために金属製となっている。従って、ユニット４０を落としても、コアが壊れることはない。
【００６１】
次に図９を参照すると、ここには非周辺機器に基づく収納体を有するダイナミックにモジュラー式の処理ユニット４０を含む別の代表的なエンタプライズが示されている。図９では、Ｉ／Ｏ周辺機器９７を有する処理ユニット４０は周辺機器９８に選択的に結合され、代表的なエンタプライズがハイエンドなラップトップコンピュータとして機能できるようになっている。例えば液体冷却技術を使用することにより、処理ユニット４０は極めてパワフルなハンドヘルドマシンとなることができる。図９に示されるように、ユニット４０はカートリッジのように大きいＩ／Ｏ周辺機器９８に選択的に挿入でき、周辺機器９８はエンドユーザーのアプリケーションに応じてキーボード、モニタ、スピーカーおよびオプションのロジックを含む。周辺機器９８からユニット４０を外すか／イジェクトすると、ユニット４０はユーザーが常に自らと共に自分のファイルを有することができるようにするファイルを保持できる。従って、ユニット４０はファイルのすべてを含むので、ユニット４０と周辺機器９８とを同期化させる必要はない。図９に示された実施例は、１つのモジュラー式処理ユニットを含むが、本発明のその他の実施例は多数の処理ユニットを利用することを含む。
【００６２】
同様に、モジュラー式処理ユニット４０は車両、家庭、オフィスなどにおけるエンタプライズを含む種々のその他のタイプの周辺機器に挿入または他の方法で結合できる。音楽、映画、写真またはその他のオーディオおよび／またはビデオを保存し、提供するのにユニット４０を使用できる。
【００６３】
次に図１０〜１１を参照すると、ここには別の代表的なエンタプライズが示されており、ここではパーソナル計算エンタプライズ内で非周辺機器に基づく収納体を有するダイナミックにモジュラー式の処理ユニット４０が使用されている。図１０〜１１では、モジュラー式処理ユニット４０はフリップトップ周辺機器９９に結合されており、この周辺機器はモニタ、親指キーボードおよびマウスデバイスを含む。この不リップトップ周辺機器９９はスプレッドシート、インターネットサーフィンおよびその他の機能および／またはタスクを実行するために、ハンドトップコンピュータと共にフル速度で作動する。図１０〜１１に示された実施例は、フリップトップが開けられたときに、オペレーティングシステムのフルバージョンをブートする。別の実施例では、フリップトップが開けられたときにエンタプライズはオペレーティングシステムのフルバージョンをブートし、フリップトップが閉じられているときは最小の電力および処理パワーで作動する変形されたバージョンを作動させるよう、フリップトップ周辺機器９９とＩ／Ｏ周辺機器９７（図８）とは同時に同じモジュラー式処理デバイスに結合されている。
【００６４】
別の実施例では、モジュラー式処理ユニットはＭＰ３プレイヤーおよび／またはビデオプレイヤーとして使用されており、他の実施例では、周辺機器としてカメラが使用されており、モジュラー式処理ユニットに画像／ビデオを保存される。
【００６５】
上記のように、本発明の実施例は極端に汎用性がある。別の例として、種々の器具またはデバイス、例えば照明器具（図１２）、電気ソケット（図１３）またはブレーカーボックス（図１４）を物理的に支持し、および／またはこれらに対する処理を行うのに処理制御ユニット４０を使用できる。本明細書に述べたように、本発明の少なくとも一部の実施例は、種々の部品、構造体、アセンブリ、機器モジュールを駆動し、これらの作動を制御する、エンジンとして機能するモジュラー処理ユニットを含む。
【００６６】
次に図１２を参照すると、ここには代表的な消費者用電気デバイスにおいて、ダイナミックにモジュラー式の処理ユニットが使用されている代表的なエンタプライズが示されている。図１２では、モジュラー式処理ユニット４０は照明器具１００に組み込まれている。例えば照明器具１０のオン／オフ、ディミングおよびその他の属性、例えば電球が使用するワット数をモニタすることおよび照明器具１００に必要なメンテナンスを管理センターに警告すること、またはその他の任意の望ましい情報を警告するのに、モジュラー処理ユニット４０を使用できる。図示された実施例では、モジュラー処理ユニット４０はスライドオンマウントブラケット１０２を介して天井構造体に取り付けられ、モジュラー処理ユニット４０の基本支持本体に設けられたスライド受け部（図示せず）にスライドする取り付けブラケットスライドオン照明モジュール１０４を使って照明器具１００に取り付けられている。照明モジュール１０４は図示するように１つ以上の電球およびカバーをサポートできる。図示された実施例では、モジュラー式処理ユニット４０はディマー１９４上のスライドにも取り付けられている。
【００６７】
図１３を参照すると、ここには代表的なエンタプライズが示されており、ここでは別の代表的な電気装置内で非周辺機器に基づく収納体を有するダイナミックにモジュラー式の処理ユニット４０が使用されており、代表的なデバイスは、８０２.１１ｘ配電のために使用される電気ソケットまたはプラグとなっている。図１３では、モジュラー式処理ユニット４０はＡＣインターフェース１０７、ＡＣプラグ周辺機器１０８および取り付けブラケット１０９に結合されており、ＡＣプラグ周辺機器１０８と取り付けブラケット１０９はスライドオン周辺機器となっている。モジュラー式処理ユニット４０にはユニット４０へａｃ配電によって給電され、ユニットは配電をモニタし、管理し、監督し、および／または割り当てるためのスマートプラグとして使用されている。
【００６８】
一実施例ではユニット４０はルータとして利用されるが、別の実施例ではユニット４０はセキュリティシステムとして使用される。別の実施例では、ユニット４０は配電をモニタし、セキュリティを保証するのに必要なように電力を切る。例えば個人が配電に接触したことを検出し、電力を自動的にシャットオフすることができる。ある実施例では、銅線ラインを通して図１３に示されるように、多数のエンタプライズを接続するのに、例えばＸ１０に基づく技術またはその他の技術が使用されている。更に別の実施例では、多数のエンタプライズは、例えばＴＣＰ／ＩＰまたは他のプロトコルを通してデータを交換するようになっている。
【００６９】
従って、本発明に実施例は、スマート製品を形成するように平凡な製品に関連してモジュラー式処理ユニットを利用することを含む。スマート製品、システムおよび／またはデバイスを提供するのに使用できるモジュラー式処理ユニットを有する製品、システムおよびデバイスの他の例として、加熱システム、冷却システム、給水システム、配電システム、家具、器具、機器、ギア、ドリル、工具、ビル、人工知能、車両、センサ、ビデオおよび／またはオーディオシステム、セキュリティシステムおよび多くの製品、システムおよび／またはデバイスを挙げることができるが、すべてを網羅しているわけではない。
【００７０】
例えば炉に関連するモジュラー式処理ユニットを使って、炉のシステムの効率を制御できる。効率が低下した場合、例えばビルのオーナーに例えばＥメール通信でフィルタを交換し、システムの保守をし、故障を識別したりすることなどを伝えるよう、モジュラー式処理ユニットにプログラムを組み込むことができる。同様に、給水システムに関連してモジュラー式処理ユニットを使用し、水の純度をモニタし、かつ汚染が生じた場合に警告をすることができる。同様に、モジュラー式処理ユニットに関連して使用するときに、家電（例えば洗濯機、乾燥機、ディッシュウォッシャー、冷蔵庫など）をスマートにすることができる。更に一酸化炭素、炭素菌またはその他の生物学的兵器、放射性物質または他の物質、もしくは有害な物質を検出することを含むセキュリティを提供するシステムに関連して、モジュラー式処理ユニットを使用できる。更に処理ユニットの安定性および汎用性に起因し、これまで利用できなかった場所にモジュラー式処理ユニットを設置できる。少なくとも一部の実施例では、スーパー構造体を有するモジュラー式処理ユニットを使用することにより、モジュラー式処理ユニットはスーパー構造体の品質をとることができる。
【００７１】
次に図１４を参照する。ここにが別の代表的なデバイス、すなわち電圧モニタブレーカーボックス内で１つ以上のダイナミックにモジュラー式の処理ユニットが使用されている代表的なエンタプライズが示されている。この図示された実施例では、標準的ブレーカーボックス１１４を電圧モニタブレーカーボックス１１０に変換するのに、モジュラー処理ユニット４０が使用されている。二重の冗長なモジュラー式処理ユニット４０は、ブレーカーボックス１１０をプロセス制御し、ブレーカーボックス１１０内に存在し、ブレーカーボックス１１０内の家屋全体に存在する電圧をリアルタイムでモニタする。各モジュラー式処理ユニット４０には電圧モニタバックプレート１１２が取り付けられており、このバックプレートはスライド受け部を使って取り付けられている。図示された実施例は２つのモジュラー式処理ユニットを提供しているが、当業者であれば、他の実施例は１つのモジュラー式処理ユニットまたは３つ以上の処理ユニットを使用することを含むことが理解できよう。
【００７２】
次に図１５を参照すると、ここには代表的なデバイス内で１つ以上のダイナミックにモジュラー式の処理ユニットが使用されている別の代表的なエンタプライズが示されている。図１５では、テーブルアセンブリ１２０の負荷支持構造内でモジュラー式処理ユニット４０が使用されており、テーブルアセンブリ１２０はテーブルアセンブリ１２０の脚部を含むよう、対応するモジュラー式処理ユニット４０上のそれぞれのスライド受け部に結合するスライドオン脚部マウント１２２を使用している。図示されている構造では、複数のモジュラー式処理ユニット４０が一つとなるように物理的に、かつ原始的に結合されており、テーブルアセンブリ１２０の基本物理構造を含む。テーブルアセンブリ１２０が所定の機能を実行できるようにするスライドオンＤＶＤおよびハードドライブモジュール１２４も示されている。コレクタ１２６を支持する複数のモジュラー式処理ユニットも示されている。
【００７３】
これら図は、本発明の実施例にかかわる１つ以上のモジュラー式処理ユニットの能力の例にすぎない。当業者であれば、本発明の実施例は他の多くの構造、環境およびセットアップを含み、これらのすべては本発明の実施例の範囲内にあるものである。
【００７４】
本明細書に説明したように、処理ユニットのダイナミックで、かつモジュラー状の性質は、すべてのタイプのエンタプライズと共に使用できる１つ以上の処理ユニットを配慮したものである。次に図１６を参照すると、エンタプライズ１３０はサーバーのクラスタリングのために構成されたサーバーアレイであり、このサーバーアレイは各々が非周辺機器に基づく収納体を有する多数のダイナミックにモジュラー式の処理ユニット１３２を含みこれらユニットはキャビネット１３４に収納され、データを処理する際に使用できるようになっている。図示された実施例では、キャビネット１３４はモジュラー式処理ユニット１３２を収納する引出しを備え、エンタプライズ１３０は更にデータを保存するための大量記憶デバイス１３６を含む。
【００７５】
図１６は個々の処理ユニット／キューブを収納するようになっている引出しを含むキャビネットを示しているが、本発明の他の実施例はバーにユニット／キューブを取り付けるために処理ユニット／キューブに関連して使用できる取り付けブラケットを使用することを含む。図示された実施例は、キャビネット１３４の内部の温度制御を配慮し、かつ換気口１３８を利用する冷却システム（図示せず）を更に含む。
【００７６】
図示された種々の代表的エンタプライズ内で、処理ユニットを使用することにより、処理ユニット／キューブのモジュラー式性質が示される。本発明の実施例は銅および／またはファイバーチャンネル構造でユニット／キューブをチェイニング（鎖状に接続）し、キューブをシリアルまたはパラレルに結合し、特定の処理タスクを実行するように個々のキューブを割り当て、他の処理構造および／または割り当てをすることを含む。
【００７７】
各ユニット／キューブは、完全に再構成可能なマザーボードを含む。一実施例ではマザーボードの背面に１つ以上のプロセッサが設けられ、マザーボードの背面に対して横方向の平面にＲＡＭモジュールが設けられる。別の実施例では、従来のソケットを使用する代わりに、モジュールはマザーボードの右側に結合され、ユニットのクロックサイクルはＲＡＭモジュールに対して最適にされる。
【００７８】
エンタプライズの処理能力を改善するための１つの方法は、エンタプライズに１つ以上の追加処理ユニット／キューブを追加することを含むが、別の方法は、特定のユニット／キューブのマザーボードの平面を、アップグレードされたモジュールを有する平面に置換することである。同様に、ユニット／キューブのパネルを選択的に置換することにより、各ユニット／キューブで利用できるインターフェースをアップグレードすることができる。更に３２ビットのバスを６４ビットバスにアップグレードすることができ、新しい機能を得ることができ、新しいポートを設けることができ、パワーパックサブシステムを設けたり／アップグレードでき、更に１つ以上のパネルを置換することにより、個々の処理ユニット／キューブに対して、他のかかる変更、アップグレードおよび強化を行うことができる。
【００７９】
従って、本明細書に説明するように、本発明の実施例はダイナミックにモジュラー式処理ユニットを提供するためのシステムおよび方法を含む。特に本発明の実施例はエンタプライズ内で１つ以上の増設ユニットと共に、選択的に配向するようになっているモジュラー式処理ユニットを提供することに関する。少なくとも一部の実施例では、モジュラー式処理ユニットは非周辺機器に基づく収納体、冷却プロセス（すなわち熱力学的対流冷却プロセス、強制空気冷却プロセスおよび／または液体冷却プロセス）、最適にされた層状プリント回路基板構造、最適にされた処理およびメモリ比、および周辺機器およびアプリケーションに対するフレキシビリティおよびサポートを高めるダイナミックな背面を含む。
【００８０】
本発明の要旨、すなわち本質的な特徴事項から逸脱することなく、本発明を他の特定の形態で実施できる。これまで説明した実施例はすべての点で単に発明を説明するためのものであり、発明を限定するものと見なしてはならない。本発明はその要旨、すなわち本質的特徴事項から逸脱することなく、他の特定の形態で実施できる。説明した実施例はすべての点で単なる説明のためのものにすぎず、発明を制限するものでないと見なすべきである。従って、発明の範囲はこれまでの説明ではなく、添付された特許請求の範囲によって定められる。特許請求の範囲の均等性の意義および範囲内のすべての変更例は本発明の範囲内に含まれるべきものである。
【符号の説明】
【００８１】
１２    バス／相互接続部
１４    プロセッサ
１６    メモリ
１８    データ操作システム
２０    ＲＯＭ
２２    ＲＡＭ
２４    大量記憶デバイス
２６    周辺Ｉ／Ｏデバイス
２８    ネットワークインターフェース
３０    モジュラー処理ユニット
３４    所有権のあるデバイス
４０    処理ユニット
４２    収納体
４４    背面
【図１】
2010160805.tif 000003
【図２】
2010160805.tif 000004
【図３】
2010160805.tif 000005
【図４】
2010160805.tif 000006
【図５】
2010160805.tif 000007
【図６】
2010160805.tif 000008
【図７】
2010160805.tif 000009
【図８】
2010160805.tif 000010
【図９】
2010160805.tif 000011
【図１０】
2010160805.tif 000012
【図１１】
2010160805.tif 000013
【図１２】
2010160805.tif 000014
【図１３】
2010160805.tif 000015
【図１４】
2010160805.tif 000016
【図１５】
2010160805.tif 000017
【図１６】
2010160805.tif 000018
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
周辺機器のコンピュータ構成要素を含まずに構成された第１の収納体と、
第１バスシステムを含み、前記第１の収納体に結合された第１の回路基板に結合された第１プロセッサと、
前記第１の収納体に結合されており、周辺機器およびアプリケーションへ適応可能な種々の接続を提供する第１の背面とを備えた、モジュラー式の処理ユニット。
【手続補正２】
【補正対象書類名】明細書
【補正対象項目名】００８０
【補正方法】変更
【補正の内容】
【００８０】
本発明の要旨、すなわち本質的な特徴事項から逸脱することなく、本発明を他の特定の形態で実施できる。これまで説明した実施例はすべての点で単に発明を説明するためのものであり、発明を限定するものと見なしてはならない。本発明はその要旨、すなわち本質的特徴事項から逸脱することなく、他の特定の形態で実施できる。説明した実施例はすべての点で単なる説明のためのものにすぎず、発明を制限するものでないと見なすべきである。従って、発明の範囲はこれまでの説明ではなく、添付された特許請求の範囲によって定められる。特許請求の範囲の均等性の意義および範囲内のすべての変更例は本発明の範囲内に含まれるべきものである。
以下に、本発明の実施態様を記載する。
［態様１］周辺機器のコンピュータ構成要素を含まずに構成された第１の収納体と、
第１バスシステムを含み、前記第１の収納体に結合された第１の回路基板に結合された第１プロセッサと、
前記第１の収納体に結合されており、周辺機器およびアプリケーションへ適応可能な種々の接続を提供する第１の背面とを備えた、モジュラー式の処理ユニット。
［態様２］前記第１の背面が１つ以上のデータ操作システムを含み、前記第１の背面が第１の回路基板に結合されている、態様１記載のモジュラー式の処理ユニット。
［態様３］前記第１の回路基板が複数のセグメントを含み、前記複数のセグメントが相互に接続されている、態様２記載のモジュラー式の処理ユニット。
［態様４］前記複数のセグメントが層状の回路基板構造で相互に接続されている、態様３記載のモジュラー式の処理ユニット。
［態様５］前記第１の収納体の外部の１つ以上の周辺機器が前記第１のバスシステムに選択的に接続されている、態様１記載のモジュラー式の処理ユニット。
［態様６］前記第１の収納体の外部の１つ以上の周辺機器が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、態様５記載のモジュラー式の処理ユニット。
［態様７］前記第２のモジュラー式の処理ユニットが、
周辺機器のコンピュータ構成要素を含まずに構成された第２の収納体と、
前記第２の収納体に結合され、第２バスシステムを含む第２の回路基板に結合された第２のプロセッサと、
前記第２の収納体に結合され、周辺機器およびアプリケーションへ適応可能な種々の接続を提供する第２の背面とを備えた、態様６記載のモジュラー式の処理ユニット。
［態様８］前記第１のバスシステムと前記第２のバスシステムとが直接結合され、前記モジュラー式の処理ユニットを有するコンピュータデバイスを提供する単一バスシステムを形成する、態様７記載のモジュラー式の処理ユニット。
［態様９］前記モジュラー式の処理ユニットの組み合わせによって、前記コンピュータデバイスに対し、増大した処理パワーを提供できる、態様８記載のモジュラー式の処理ユニット。
［態様１０］前記第１のバスシステムに結合されており、前記第１の収納体内に設けられたメモリを更に含む、態様１記載のモジュラー式の処理ユニット。
［態様１１］前記モジュラー式の処理ユニットが、任意のタイプの電気システムに関連して使用される処理プラットフォームを提供する、態様１記載のモジュラー式の処理ユニット。
［態様１２］前記第１の背面が１つ以上のデータ操作システムを含み、前記１つ以上のデータ操作システムの変更によりモジュラー式の処理ユニットのアプリケーションを変更する、態様１記載のモジュラー式の処理ユニット。
［態様１３］前記モジュラー式の処理ユニット内の作動温度を下げるための冷却システムを更に備えた、態様１記載のモジュラー式の処理ユニット。
［態様１４］モジュラー式の処理ユニットを１つ以上の他のモジュラー式の処理ユニットに選択的に結合して、すべてのモジュラー式の処理ユニットが前記システムバスレベルで相互に結合されたコンピュータデバイスを提供することにより、種々のコンピュータ処理を提供するようになっている、態様１記載のモジュラー式の処理ユニット。
［態様１５］前記第１の背面が別の背面と選択的に交換可能であり、前記第１の背面のロジックが別の背面と異なる、態様１記載のモジュラー式の処理ユニット。
［態様１６］（ｉ）中央処理ユニットおよび（ｉｉ）消費者用電子デバイスのうちの一つで前記モジュラー式の処理ユニットが使用される、態様１記載のモジュラー式の処理ユニット。
［態様１７］前記モジュラー式の処理ユニットがハンドヘルドコンピュータデバイスである、態様１記載のモジュラー式の処理ユニット。
［態様１８］前記ハンドヘルドコンピュータデバイスが（ｉ）周辺入力デバイスおよび（ｉｉ）周辺出力デバイスのうちの少なくとも一つに選択的に結合されている、態様１７記載のモジュラー式の処理ユニット。
［態様１９］前記周辺入力デバイスおよび前記周辺出力デバイスが処理パワーを含まず、前記モジュラー式の処理ユニットと組み合わされた前記周辺入力デバイスおよび前記周辺出力デバイスがラップトップコンピュータデバイスを形成する、態様１８記載のモジュラー式の処理ユニット。
［態様２０］前記モジュラー式の処理ユニットが消費者用スマート電子デバイスとして使用されている、態様１記載のモジュラー式の処理ユニット。
［態様２１］コンピュータデバイスの処理パワーを増大させるための方法において、
第１のバスシステムを有する第１のモジュラー式処理ユニットを設けるステップと、
第２のバスシステムを有する第２のモジュラー式処理ユニットを設けるステップとを備え、前記第１のモジュラー式処理ユニットおよび前記第２のモジュラー式処理ユニットの各々が、
周辺機器のコンピュータ構成要素を含まずに構成された収納体を備え、この収納体が、  前記収納体の一部を構成する第１の本体シャーシと、
前記第１の本体シャーシの開口を塞ぎ、前記収納体の内部へのアクセスを行うための、前記第１の本体シャーシに取り外し自在に結合された１つ以上のプレートと、
前記収納体に取り外し自在に結合された１つ以上の処理部品と、
前記処理部品によって発生された熱放出を前記収納体から周辺の空気へ放散させるための手段とを備え、
更に前記第１のモジュラー式処理ユニットを前記第２のモジュラー式処理ユニットに結合し、増大された処理パワーを発生するステップを備えた、コンピュータデバイスの処理パワーを増大させるための方法。
［態様２２］前記モジュラー式の処理ユニットを有するコンピュータデバイスのための単一バスシステムを形成するように、前記第１のバスシステムと前記第２のバスシステムとが直接結合されている、態様２１記載の方法。
［態様２３］前記第１のモジュラー式処理ユニットおよび前記第２のモジュラー式処理ユニットを他のモジュラー式処理ユニットに結合し、スーパーコンピュータを提供するステップを更に備えた、態様２１記載の方法。
［態様２４］前記第１のモジュラー式処理ユニットを前記第２のモジュラー式処理ユニットに結合し、増大された処理パワーを発生する前記ステップが、前記モジュラー式処理ユニットをクラスター状の相互に機能し、かつ相互に通信する関係に結合することを含む、態様２１記載の方法。
［態様２５］第１のタイプの処理に対し、前記第１のモジュラー式処理ユニットの少なくとも一部の処理パワーを専用とすると共に、第２のタイプの処理を実行するために前記第２のモジュラー式処理ユニットの少なくとも一部の処理パワーを専用とするステップを更に含む、態様２１記載の方法。
［態様２６］周辺機器のコンピュータ構成要素を含まずに構成された第１の収納体であって、この第１の収納体に取り外し自在に結合された、第１のエンドプレートおよび第２のエンドプレートと、第１、第２および第３の側壁サポートを有し、複数の換気ポートを備えた、前記非周辺機器に基づく第１の収納体と、
第１のバスシステムを含む第１の回路基板に結合された第１のプロセッサとを備え、前記第１の回路基板が前記第１の収納体に結合され、前記第１の回路基板が前記第１の収納体内に取り外し自在に固定された３基板の電気プリント回路基板構造となっており、
更に前記第１の収納体に結合された第１の相互交換可能な背面とを備え、該第１の背面が周辺機器およびアプリケーションへ適応可能な種々の接続を提供するモジュラー式処理システム。
［態様２７］前記第１の収納体の外部の１つ以上の周辺機器が前記第一の背面を介して前記第１のバスシステムに選択的に接続され、コンピュータデバイスを形成している、態様２６記載のモジュラー式処理システム。
［態様２８］前記第１の収納体の外部の１つ以上の周辺機器が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、態様２７記載のモジュラー式処理システム。
［態様２９］前記第２のモジュラー式の処理ユニットが、
周辺機器のコンピュータ構成要素を含まずに構成された第２の収納体と、
前記第２の収納体に結合され、第２バスシステムを含む第２の回路基板に結合された第２のプロセッサと、
前記第２の収納体に結合され、周辺機器およびアプリケーションへ適応可能な種々の接続を提供する第２の背面とを備えた、態様２８記載のモジュラー式処理システム。
［態様３０］前記第１のバスシステムと前記第２のバスシステムとが直接結合され、前記モジュラー式の処理ユニットを有するコンピュータデバイスのための単一バスシステムを形成する、態様２９記載のモジュラー式処理システム。
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
周辺機器要素の選択的使用のために構成された第１の収納体と、
第１バスシステムを含み、前記第１の収納体内に設けられた第１の回路基板に結合された第１プロセッサと、
前記第１の収納体に結合されており、周辺機器要素およびアプリケーションへ適応可能な種々の接続を提供する第１の背面とを備えた、モジュラー式の処理ユニット。
【請求項２】
前記第１の背面が１つ以上のデータ操作システムを含み、前記第１の背面が第１の回路基板に結合されている、請求項１記載のモジュラー式の処理ユニット。
【請求項３】
前記第１の回路基板が複数のセグメントを含み、前記複数のセグメントが相互に接続されている、請求項２記載のモジュラー式の処理ユニット。
【請求項４】
前記第１の収納体の外部の１つ以上の周辺機器要素が前記第１のバスシステムに選択的に接続され、
前記第１の収納体の外部の１つ以上の周辺機器要素が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、請求項１記載のモジュラー式の処理ユニット。
【請求項５】
前記第２のモジュラー式の処理ユニットが、
第２の収納体と、
前記第２の収納体内に設けられ、第２バスシステムを含む第２の回路基板に結合された第２のプロセッサと、
前記第２の収納体に結合され、周辺機器要素およびアプリケーションへ適応可能な種々の接続を提供する第２の背面とを備えた、請求項４記載のモジュラー式の処理ユニット。
【請求項６】
前記第１のバスシステムと前記第２のバスシステムとが直接結合され、前記モジュラー式の処理ユニットを有するコンピュータシステムの単一バスシステムを形成する、請求項５記載のモジュラー式の処理ユニット。
【請求項７】
前記モジュラー式の処理ユニットの組み合わせによって、前記コンピュータシステムに対し、増大した処理パワーが提供される、請求項６記載のモジュラー式の処理ユニット。
【請求項８】
前記第１のバスシステムに結合されており、前記第１の収納体内に設けられたメモリを更に含む、請求項１記載のモジュラー式の処理ユニット。
【請求項９】
前記第１の背面が１つ以上のデータ操作システムを含み、前記１つ以上のデータ操作システムの変更によりモジュラー式の処理ユニットのアプリケーションを変更する、請求項１記載のモジュラー式の処理ユニット。
【請求項１０】
前記モジュラー式の処理ユニット内の作動温度を下げるための冷却システムを更に備えた、請求項１記載のモジュラー式の処理ユニット。
【請求項１１】
モジュラー式の処理ユニットは、モジュラー式の処理ユニットを１つ以上の他のモジュラー式の処理ユニットに結合して、すべてのモジュラー式の処理ユニットが前記システムバスのレベルで相互に結合されたコンピュータシステムを提供するようになっている、請求項１記載のモジュラー式の処理ユニット。
【請求項１２】
前記第１の背面が別の背面と選択的に交換可能であり、前記第１の背面のロジックが別の背面と異なる、請求項１記載のモジュラー式の処理ユニット。
【請求項１３】
（ｉ）中央処理ユニットおよび（ｉｉ）消費者用電子デバイスのうちの一つで前記モジュラー式の処理ユニットが使用される、請求項１記載のモジュラー式の処理ユニット。
【請求項１４】
前記モジュラー式の処理ユニットがハンドヘルドコンピュータデバイスである、請求項１記載のモジュラー式の処理ユニット。
【請求項１５】
前記ハンドヘルドコンピュータデバイスが（ｉ）周辺入力デバイスおよび（ｉｉ）周辺出力デバイスのうちの少なくとも一つに選択的に結合されている、請求項１４記載のモジュラー式の処理ユニット。
【請求項１６】
前記周辺入力デバイスおよび前記周辺出力デバイスが処理パワーを含まず、前記モジュラー式の処理ユニットと組み合わされた前記周辺入力デバイスおよび前記周辺出力デバイスがラップトップコンピュータデバイスを形成する、請求項１５記載のモジュラー式の処理ユニット。
【請求項１７】
前記モジュラー式の処理ユニットが消費者用スマート電子デバイスとして使用されている、請求項１記載のモジュラー式の処理ユニット。
【請求項１８】
コンピュータデバイスの処理パワーを増大させるための方法において、
第１のバスシステムを有する第１のモジュラー式処理ユニットを設けるステップと、
第２のバスシステムを有する第２のモジュラー式処理ユニットを設けるステップとを備え、前記第１のモジュラー式処理ユニットおよび前記第２のモジュラー式処理ユニットの各々が、
周辺機器要素の選択的使用のために構成された収納体を備え、この収納体が、
前記収納体の一部を構成する第１の本体シャーシと、
前記第１の本体シャーシの１つ以上の開口を塞ぎ、前記収納体の内部へのアクセスを提供するための、前記第１の本体シャーシに取り外し自在に結合された１つ以上のプレートと、
前記収納体に取り外し自在に結合された１つ以上の処理部品と、
前記処理部品によって発生された熱放出を前記収納体から周辺の空気へ放散させるための手段とを備え、
更に前記第１のモジュラー式処理ユニットを前記第２のモジュラー式処理ユニットに結合し、増大された処理パワーを発生するステップを備えた、コンピュータデバイスの処理パワーを増大させるための方法。
【請求項１９】
前記モジュラー式の処理ユニットを有するシステムのための単一バスシステムを形成するように、前記第１のバスシステムと前記第２のバスシステムとが直接結合されている、請求項１８記載の方法。
【請求項２０】
前記第１のモジュラー式処理ユニットおよび前記第２のモジュラー式処理ユニットを他のモジュラー式処理ユニットに結合し、スーパーコンピュータを提供するステップを更に備えた、請求項１８記載の方法。
【請求項２１】
前記第１のモジュラー式処理ユニットを前記第２のモジュラー式処理ユニットに結合し、増大された処理パワーを発生する前記ステップが、前記モジュラー式処理ユニットをクラスター状の相互に機能し、かつ相互に通信する関係に結合することを含む、請求項１８記載の方法。
【請求項２２】
第１のタイプの処理に対し、前記第１のモジュラー式処理ユニットの少なくとも一部の処理パワーを専用とすると共に、第２のタイプの処理を実行するために前記第２のモジュラー式処理ユニットの少なくとも一部の処理パワーを専用とするステップを更に含む、請求項１８記載の方法。
【請求項２３】
周辺機器要素の選択的使用のために構成された第１の収納体であって、この第１の収納体に取り外し自在に結合された、第１のエンドプレートおよび第２のエンドプレートと、第１、第２および第３の側壁サポートを有し、複数の換気ポートを備えた、前記非周辺機器に基づく第１の収納体と、
第１のバスシステムを含む第１の回路基板に結合された第１のプロセッサとを備え、前記第１の回路基板が前記第１の収納体に結合され、前記第１の回路基板が前記第１の収納体内に取り外し自在に固定された複数基板構成の電気プリント回路基板構造となっており、
更に前記第１の収納体に結合された第１の相互交換可能な背面とを備え、該第１の背面が周辺機器およびアプリケーションへ適応可能な種々の接続を提供するモジュラー式処理システム。
【請求項２４】
前記第１の収納体の外部の１つ以上の周辺機器要素が前記第一の背面を介して前記第１のバスシステムに選択的に接続され、コンピュータシステムを形成している、請求項２３記載のモジュラー式処理システム。
【請求項２５】
前記第１の収納体の外部の１つ以上の周辺機器要素が、
（ｉ）大量記憶デバイス、
（ｉｉ）周辺入力デバイス、
（ｉｉｉ）周辺出力デバイス、
（ｉｖ）ネットワークインターフェース、
（ｖ）第２のダイナミックなモジュラー式の処理ユニット、
（ｖｉ）入力接続部、
（ｖｉｉ）出力接続部、および
（ｖｉｉｉ）デバイスのうちの少なくとも１つを含む、請求項２４記載のモジュラー式処理システム。
【請求項２６】
前記第２のモジュラー式の処理ユニットが、
第２の収納体と、
前記第２の収納体に結合され、第２バスシステムを含む第２の回路基板に結合された第２のプロセッサと、
前記第２の収納体に結合され、周辺機器要素およびアプリケーションへ適応可能な種々の接続を提供する第２の背面とを備えた、請求項２５記載のモジュラー式処理システム。
【請求項２７】
前記第１のバスシステムと前記第２のバスシステムとが直接結合され、前記モジュラー式の処理ユニットを有するコンピュータデバイスのための単一バスシステムを形成する、請求項２６記載のモジュラー式処理システム。